(57)【特許請求の範囲】
【請求項１】
少なくとも前後一対の針床を備え、前後の針床間で編目の目移しが可能な横編機を用いて、前後いずれか一方の針床に形成される基端コースを構成する対象編目に続く新規編目を当該一方の針床の編針に形成しつつ、前記対象編目を他方の針床の編針に目移しする割増やしを行なうことで編地の編出し部を編成する編地の編出し方法において、
前記針床に備わる編針が、針本体と２枚のブレードを備えるスライダーとを有する複合針であり、
前記対象編目を前記他方の針床の編針から前記一方の針床の編針に目移しすると共に、前記新規編目を前記一方の針床の編針から前記他方の針床の編針に目移しすることで、前記針床の対向方向における前記対象編目と前記新規編目の係止位置を形成当初の係止位置から入れ換え、これら係止位置を入れ換えた前記対象編目と前記新規編目とで前記編出し部を形成することを特徴とする編地の編出し方法。
【請求項２】
請求項１に記載の編地の編出し方法であって、
前記新規編目を全て形成した後、前記対象編目と前記新規編目の係止位置の入れ換えを行なうことを特徴とする編地の編出し方法。
【請求項３】
請求項１または２に記載の編地の編出し方法であって、
前記横編機は、対向する前後一対の針床の上方にさらに対向する前後一対の針床を備える４枚ベッド横編機であり、かつ、前記基端コースが総針編成される場合、
前記針床の長手方向の一端側から数えて奇数番目の前記対象編目と前記新規編目の係止位置の入れ換えと、
前記一端側から数えて偶数番目の前記対象編目と前記新規編目の係止位置の入れ換えと、を分けて行なうことを特徴とする編地の編出し方法。
【請求項４】
請求項３に記載の編地の編出し方法であって、
前記対象編目からなる編目群と、前記新規編目からなる編目群のうちの一方を第１編目群、他方を第２編目群としたとき、
奇数番目の対象編目と新規編目の係止位置の入れ換えでは、
前記第１編目群の４ｎ＋１番目の編目を、その編目が係止されていた針床に対向する上部針床に預けると共に、前記第２編目群の４ｎ＋３番目の編目を、その編目が係止されていた針床に対向する上部針床に預ける工程αと、
前記第１編目群の４ｎ＋３番目の編目と、第２編目群の４ｎ＋１番目の編目を、前記工程αによって形成された空針を経由させて、その編目が係止される針床と同じ側の上部針床に目移しする工程βと、
前記工程αで預けておいた編目を、前記工程αによって形成された空針を経由させて、前記工程βによって形成された空針に目移しする工程γと、
前記工程βで預けておいた編目を、工程αによって形成された空針に目移しする工程δと、を行ない、
偶数番目の対象編目と新規編目の係止位置の入れ換えでは、
前記工程α〜δの４ｎ＋１を４ｎ＋２に読み替え、４ｎ＋３を４ｎ＋４に読み替えて前記工程α〜δを行なうことを特徴とする編地の編出し方法。
ここで、ｎは、０を含む自然数である。
【発明の詳細な説明】
【技術分野】
【０００１】
本発明は、針本体と２枚のブレードを備えるスライダーとを有する複合針を備える横編機を用いて、編地の編出し部を編成するための編地の編出し方法、およびその編出し方法を適用して編成された編地に関する。
【背景技術】
【０００２】
従来から、少なくとも前後一対の針床を備える横編機を用いて編地を編出す方法が知られている。最も単純な編出し方法としては、前後の針床に交互に編糸を給糸することで、編地の編出し部を編成する方法である。しかし、この方法では、前後の針床間を渡る渡り糸が長くなり易いため、編出し部が緩んだようになる恐れがある。この問題点を解決するために、割増やしを利用して編出し部を編成することが提案されている（例えば、特許文献１参照）。
【０００３】
割増やしを利用して編出し部を編成するには、まず前後一方の針床に基端となる基端コースを編成する。そして、その基端コースの編目（対象編目）を他方の針床の編針に目移ししつつ、新たな編糸を給糸してその編目から引き出されるように新規編目を一方の針床の編針（目移しされる対象編目がもともと係止されていた編針）に形成することを、編幅方向の一端側から他端側に向かって行う。そのようにして編成された編出し部は、図４に示すように、前後の針床に係止される編目のシンカーループ同士が互いに絡み合った編出し部となる。この編出し部では、編目間を繋ぐ糸長が不必要に長くなることがないため、引き締まった編出し部となる。
【先行技術文献】
【特許文献】
【０００４】
【特許文献１】特開平４−７３２４５号公報
【発明の概要】
【発明が解決しようとする課題】
【０００５】
しかし、上記特許文献１に示される割増やしを用いた編出し方法は、横編機の編針がべら針の場合に有効な方法であって、横編機の編針が、針本体と針本体のフックを開閉する２枚のブレードを備えるスライダーとを有する複合針（例えば、特許第２９１７１４６号公報参照）の場合には不適切な方法である。仮に、複合針を備える横編機で特許文献１の編出し方法を行えば、図５に示すように、基端コースの編目と新規編目とが絡み合わない状態になるため、図４と同じ編出し部を編成できない。なお、言うまでもないが、特許文献１と同じ手順に従った場合に、複合針で図４と同じ編出し部を形成できないだけで、複合針で編地を編出せないというわけではない。
【０００６】
上記問題点は、べら針と、２枚のブレードを備えるスライダーを有する複合針とで、対向する針床間で編目の目移しを行うための構造が異なることによって生じるものである。べら針の場合、編目の目移しの際にべら針の側面にある羽根を利用するため、対向する針床のべら針同士は針床の長手方向に若干ズレている。これに対して、２枚のブレードを備えるスライダーを有する複合針の場合、ブレードの歯口側先端にあるタングに保持された編目を対向する複合針のフックで取りにいく構成であるため、対向する針床の複合針のフック同士は針床の長手方向にズレていない。
【０００７】
上述したように、べら針とは構造の異なる複合針を用いた横編機で、前針床に係止される編目同士を繋ぐ編糸と、後針床に係止される編目同士を繋ぐ編糸と、を絡み合わせることで形成される編出し部を編成するには、全く新しい発想が求められる。
【０００８】
本発明は、上記の事情に鑑みてなされたものであり、その目的の一つは、針本体と２枚のブレードを備えるスライダーとを有する複合針を備える横編機を用いて、割増やしにより編出し部を編成することができる編地の編出し方法、およびその方法を適用して編成された編出し部を有する編地を提供することにある。
【課題を解決するための手段】
【０００９】
本発明編地の編出し方法は、少なくとも前後一対の針床を備え、前後の針床間で編目の目移しが可能な横編機を用いて、前後いずれか一方の針床に形成される基端コースを構成する対象編目に続く新規編目を当該一方の針床の編針に形成しつつ、前記対象編目を他方の針床の編針に目移しする割増やしを行なうことで編地の編出し部を編成する編地の編出し方法である。そして、本発明編地の編成方法では、前記対象編目を前記他方の針床の編針から前記一方の針床の編針に目移しすると共に、前記新規編目を前記一方の針床の編針から前記他方の針床の編針に目移しすることで、前記針床の対向方向における前記対象編目と前記新規編目の係止位置を形成当初の係止位置から入れ換え、これら係止位置を入れ換えた前記対象編目と新規編目とで前記編出し部を形成する。なお、本発明編地の編成方法で使用する横編機の針床に備わる編針は、針本体と２枚のブレードを備えるスライダーとを有する複合針である。
【００１０】
本発明編地の編出し方法の概要を、図１を参照して簡単に説明する。なお、図１における短線は前針床（以下、ＦＢ）あるいは後針床（以下、ＢＢ）の編針を示す。
【００１１】
まず、図１（Ａ）には、点線で示す抜き糸による編目に続いて形成される基端コースの編目（対象編目Ａ〜Ｃ）がＢＢの編針に係止される状態が示されている。この対象編目Ａ〜Ｃに対して割増やしを行なうと、対象編目Ａ〜ＣはＦＢの編針に移動し、ＢＢの編針には新規編目ａ〜ｃが係止された状態になる（図１（Ｂ）参照）。この状態では、複合針を用いて割増やしを行なったため、対象編目Ａ〜Ｃの編糸と新規編目ａ〜ｃの編糸とが絡み合っていない。そこで、本発明編地の編出し方法では、対象編目Ａ〜ＣをＦＢからＢＢに目移しすると共に、新規編目ａ〜ｃをＢＢからＦＢに目移しする（図１（Ｃ）参照）。このＦＢとＢＢの対向方向における対象編目Ａ〜Ｃと新規編目ａ〜ｃの係止位置の入れ換えによって、図１（Ｃ）に示すように対象編目Ａ〜Ｃの編糸と新規編目ａ〜ｃの編糸とが絡み合う。
【００１２】
本発明編地の編出し方法の一形態として、前記新規編目を全て形成した後、前記対象編目と前記新規編目の係止位置の入れ換えを行なうことが好ましい。
【００１３】
本発明編地の編出し方法の一形態として、前記横編機が、対向する前後一対の針床の上方にさらに対向する前後一対の針床を備える４枚ベッド横編機であり、かつ、前記基端コースが総針編成される場合、前記針床の長手方向の一端側から数えて奇数番目の前記対象編目と前記新規編目の係止位置の入れ換えと、前記一端側から数えて偶数番目の前記対象編目と前記新規編目の係止位置の入れ換えと、を分けて行なうことが好ましい。なお、総針編成された基端コースとは、基端コースにおける隣接する対象編目の間に空針を設けない状態で編成された基端コースのことである。
【００１４】
対象編目と新規編目の係止位置を入れ換える際、奇数番目の編目の入れ換えと偶数番目の編目の入れ換えとに分けるのであれば、以下の工程α〜δに従って当該入れ換えを行なうことが好ましい。なお、工程α〜δの前提として、前記対象編目からなる編目群と、前記新規編目からなる編目群のうちの一方を第１編目群、他方を第２編目群とする。
［工程α］…前記第１編目群の４ｎ＋１番目（４ｎ＋２番目）の編目を、その編目が係止されていた針床に対向する上部針床に預けると共に、前記第２編目群の４ｎ＋３番目（４ｎ＋４番目）の編目を、その編目が係止されていた針床に対向する上部針床に預ける。
［工程β］…前記第１編目群の４ｎ＋３番目（４ｎ＋４番目）の編目と、第２編目群の４ｎ＋１番目（４ｎ＋２番目）の編目を、前記工程αによって形成された空針を経由させて、その編目が係止される針床と同じ側の上部針床に目移しする。
［工程γ］…前記工程αで預けておいた編目を、前記工程αによって形成された空針を経由させて、前記工程βによって形成された空針に目移しする。
［工程δ］…前記工程βで預けておいた編目を、工程αによって形成された空針に目移しする。
【００１５】
工程α〜δを備える本発明編地の編出し方法の概要を、図２を参照して簡単に説明する。図２におけるＦＤは下部前針床、ＢＤは下部後針床、ＦＵは上部前針床、ＢＵは上部後針床である。なお、図２を用いた説明では、新規編目ａ〜ｃを第１編目群、対象編目Ａ〜Ｃを第２編目群とし、紙面左側から１番目（４ｎ＋１；ｎ＝０）の新規編目ａと対象編目Ａの動きのみを例示して説明する。
【００１６】
まず、図２（Ａ）に示す工程αでは、ＢＤに係止される新規編目ａを、ＢＤに対向する上部針床であるＦＵに預ける。次いで、図２（Ｂ）に示す工程βでは、ＦＤに係止される対象編目Ａを、工程αによって形成されたＢＤの空針を経由させて、ＦＤと同じ側の上部針床であるＦＵに目移しする。そして、図２（Ｃ）に示す工程γでは、ＦＵに預けておいた新規編目ａを、工程αによって形成されたＢＤの空針を経由させて、工程βによって形成されたＦＤの空針に目移しする。最後に、図２（Ｄ）に示す工程δでは、ＦＵに預けておいた対象編目Ａを、工程αによって形成されたＢＤの空針に目移しする。ここで、図２では例示しないが、工程α〜δに規定される４ｎ＋３番目の編目（紙面左側から３番目の編目Ｃ，ｃ）については、前後針床の境界である点線を挟んで編目Ａ，ａの動きと線対称の動きをすれば良い。
【００１７】
一方、本発明編地は、針本体と２枚のブレードを備えるスライダーとを有する複合針を複数列設した少なくとも前後一対の針床を備え、前後の針床間で編目の目移しが可能な横編機を用いて編成された編出し部を備える編地である。そして、この本発明編地の編出し部は、上記本発明編地の編出し方法によって編成されたことを特徴とする。
【発明の効果】
【００１８】
本発明編地の編出し方法によれば、２枚のブレードを備えるスライダーを有する複合針を備える横編機であっても割増やしにより編成された編出し部を備える本発明編地を編成することができる。それは、対象編目と新規編目の係止位置の入れ換えを行なうことで、本来であれば絡み合わないはずの複合針で編成された対象編目の編糸と新規編目の編糸とを絡み合わせることができるからである。
【００１９】
また、本発明編地の編出し方法において全ての新規編目を一気に形成することで、１〜数目の新規編目を形成することと、対象編目と新規編目の係止位置を入れ換えることと、を繰り返すよりも編成効率を向上させることができる。
【００２０】
さらに、本発明編地の編出し方法において奇数番目の編目の係止位置を入れ換えることと、偶数番目の編目の係止位置を入れ換えることとを分けて行なうことで、後述する実施形態に示すように、編成効率を向上させることができる。
【図面の簡単な説明】
【００２１】
【図１】（Ａ）〜（Ｃ）は、請求項１に記載の本発明編地の編出し方法の概念を説明する説明図である。
【図２】（Ａ）〜（Ｄ）は、請求項４に記載の本発明編地の編出し方法の概念を説明する説明図である。
【図３】複合針を備える横編機を用いた、実施形態１の編地の編出し方法に係る編成工程を示す編成工程図である。
【図４】べら針を備える横編機を用いて、従来の割増やし方法で編成した編出し部のループ図である。
【図５】複合針を備える横編機を用いて、従来の割増やし方法で編成した編出し部のループ図である。
【発明を実施するための形態】
【００２２】
以下、本発明の実施形態を図面に基づいて説明する。実施形態に記載の編成は、左右方向に延び、かつ、前後方向に互いに対向する下部前針床（ＦＤ）と下部後針床（ＢＤ）、およびこれらＦＤとＢＤの上方に設けられ、下部の針床と同ピッチで多数の複合針が列設された上部前針床（ＦＵ）と上部後針床（ＢＵ）を備える４枚ベッド横編機を用いた編成例を説明する。この横編機は、前後の針床間で編目の目移しが可能であり、しかも横編機に備わるＢＤ，ＢＵは左右にラッキング可能である。なお、現行市販されている横編機では、ＦＤとＢＤとの間、ＦＤとＢＵとの間、およびＢＤとＦＵとの間で目移し可能であるが、ＦＤとＦＵとの間、ＢＤとＢＵとの間、およびＦＵとＢＵとの間では目移しできない構造になっている。
【００２３】
＜実施形態１＞
本実施形態では、編成を容易にする捨て編みの終端部の編目として、ＢＢに抜き糸となる編糸で編目を形成した後、その抜き糸による編目に続いて編地を編出すにあたり、本発明の編出し方法を適用した例を図３に基づいて説明する。
【００２４】
図３の編成工程図では、説明の便宜上、針床の一部のみを示し、編目の数も実際の編成に使用される数よりも少なく表示している。この図３の左欄の「アルファベット＋数字」は編成工程の番号を、右欄の矢印はその矢印の方向に後針床（ＢＤ，ＢＵ）を前工程より何ピッチ（Ｐ）ラッキングするかを示す。また、図３の中欄は、各編成工程で実際に行なわれる動作を示し、その中欄の白丸は対象編目、黒丸は新規編目、矢印は目移しの方向を示す。
【００２５】
Ｓ１には、抜き糸による編目に続いて基端コースの対象編目Ａ〜ＨをＢＤの編針に形成した状態が示されている。この状態から割増やしを行なう。
【００２６】
Ｓ２では、ＢＤの編針に係止される対象編目Ａ〜Ｈを対向するＦＤの編針に目移ししつつ、新たな編糸を給糸してＢＤの編針に新規編目ａ〜ｈを形成する。新規編目ａ〜ｈを一気に形成することで、編成効率を向上させることができる。ここで、本実施形態では、新規編目ａ〜ｈからなる編目群を第１編目群、対象編目Ａ〜Ｈからなる編目群を第２編目群とする。
【００２７】
次のＳ３〜Ｓ８では、紙面左方向から数えて奇数番目（４ｎ＋１、４ｎ＋３;ｎは０を含む自然数）の対象編目Ａ，Ｃ，Ｅ，Ｇと新規編目ａ，ｃ，ｅ，ｇの針床の対向方向（紙面上下方向）の係止位置を入れ換える。
【００２８】
Ｓ３では、後針床を紙面左方向に１ピッチラッキングした後、１番目（４ｎ＋１；ｎ＝０）の新規編目ａおよび５番目（４ｎ＋１；ｎ＝１）の新規編目ｅをＢＤからＦＵに目移しする。この目移しと同時に、Ｓ３では、３番目（４ｎ＋３;ｎ＝０）の対象編目Ｃおよび７番目（４ｎ＋３；ｎ＝１）の対象編目ＧをＦＤからＢＵに目移しする。
【００２９】
Ｓ４では、後針床を紙面右方向に１ピッチラッキングした後、ＢＤに係止される３番目（４ｎ＋３;ｎ＝０）の新規編目ｃおよび７番目（４ｎ＋３；ｎ＝１）の新規編目ｇを、Ｓ３において形成されたＦＤの空針に目移しする。この目移しと同時に、Ｓ４では、ＦＤに係止される１番目（４ｎ＋１；ｎ＝０）の対象編目Ａおよび５番目（４ｎ＋１；ｎ＝１）の対象編目Ｅを、Ｓ３において形成されたＢＤの空針に目移しする。
【００３０】
さらに、Ｓ５では、後針床を紙面右方向に１ピッチラッキングした後、Ｓ４において目移しした新規編目ｃ，ｇをＦＤからＢＵに目移しすると共に、Ｓ４において目移しした対象編目Ａ，ＥをＢＤからＦＵに目移しする。新規編目ｃ，ｇが目移しされるＢＵは、Ｓ２において新規編目ｃ，ｇが係止されていたＢＤと同じ側にある上部針床である。また、対象編目Ａ，Ｅが目移しされるＦＵは、Ｓ２において対象編目Ａ，Ｅが係止されていたＦＤと同じ側にある上部針床である。
【００３１】
Ｓ６では、後針床を紙面左方向に２ピッチラッキングした後、ＦＵに係止される新規編目ａ，ｅを、Ｓ５において形成されるＢＤの空針に目移しすると共に、ＢＵに係止される対象編目Ｃ，Ｇを、Ｓ５において形成されるＦＤの空針に目移しする。
【００３２】
さらにＳ７では、後針床を紙面右方向に１ピッチラッキングした後、Ｓ６においてＢＤに目移しした新規編目ａ，ｅを、Ｓ４において形成されたＦＤの空針に目移しすると共に、Ｓ６においてＦＤに目移しした対象編目Ｃ，Ｇを、Ｓ４において形成されたＢＤの空針に目移しする。
【００３３】
最後に、Ｓ８では、後針床を紙面右方向に１ピッチラッキングした後、Ｓ５においてＢＵに目移しした新規編目ｃ，ｇを、Ｓ３において形成されたＦＤの空針に目移しすると共に、Ｓ５においてＦＵに目移しした対象編目Ａ，Ｅを、Ｓ３において形成されたＢＤの空針に目移しする。このＳ８が終了した時点で、紙面左側から奇数番目の対象編目Ａ，Ｃ，Ｅ，Ｇと新規編目ａ，ｃ，ｅ，ｇの針床対向方向の係止位置が入れ換わる。
【００３４】
以降は、Ｓ３〜Ｓ８と同様の考え方に基づいて、紙面左側から偶数番目（４ｎ＋２、４ｎ＋４）の対象編目Ｂ，Ｄ，Ｆ，Ｈと新規編目ｂ，ｄ，ｆ，ｈの針床対向方向の係止位置を入れ換える。
【００３５】
以上説明した編成工程を経ることによって、図１（Ｃ）に示すように、対象編目Ａ〜Ｃの編糸と、新規編目ａ〜ｃの編糸とが絡んだ編出し部を形成することができる。
【００３６】
＜変形実施形態＞
上記実施形態１の一部を変更することができる。例えば、偶数番目の編目の入れ替えを先に行なってから、奇数番目の編目の入れ替えを行なっても良い。また、対象編目Ａ〜Ｈを第１編目群、新規編目ａ〜ｈを第２編目群と規定しても良い。その場合、図３のＳ３の代わりに、まず後針床を紙面右側に１ピッチラッキングした後、対象編目Ａ，ＥをＦＤからＢＵに目移しすると共に、新規編目ｃ，ｇをＢＤからＦＵに目移しする。以降は、実施形態１と同様の考え方で係止位置の入れ替えを行なう。
【００３７】
なお、本発明は、上述した実施形態に限定されるわけではなく、本発明の要旨を逸脱しない範囲で適宜変更して実施することができる。例えば、使用する横編機は、２枚ベッド横編機であっても良い。その場合、対象編目と新規編目の係止位置の入れ替えのために、隣接する編目間に空針を設ける針抜き編成を行なう。
【符号の説明】
【００３８】
Ａ〜Ｈ  対象編目
ａ〜ｈ  新規編目
【図１】
0005736254.tif 000002
【図２】
0005736254.tif 000003
【図３】
0005736254.tif 000004
【図４】
0005736254.tif 000005
【図５】
0005736254.tif 000006